(57)【要約】【課題】鉢植え植物を収容する箱体（容器）のみで、運搬及び陳列が可能になると共に、長寿命化を図れるようにする。【解決手段】上面開口部６が平面視正方形状の浅底の直方体形状の容器本体１と、容器本体１の上面開口部６に折曲可能に設けられ、且つ、容器本体１の高さと略同一高さの台形状の四枚の蓋体７と、容器本体１に挿脱可能に内装された容器保護シート８と、各蓋体７の先端部に形成された係止溝９及び各係止溝９に係止する輪ゴム１０を有する保持手段とを備え、各蓋体７によって各蓋体７を側面とする錐体を形成し、各蓋体７の先端部によって形成される空隙から鉢植え植物を露呈させた状態にすると共に、各蓋体７によって鉢植え植物１２を支持する。陳列時は、各蓋体７を開放して容器本体１の上面開口部６から鉢植え植物１２を露出させる。潅水時は、容器保護シート８によって容器本体１を保護する。【選択図】　　図１
0003099105.tif 000002
【実用新案登録請求の範囲】
【請求項１】
鉢植え植物の鉢と略同一の容積を有すると共に、上面開口部に折曲可能に設けられた複数の蓋体を有する容器本体を備えた鉢植え植物包装容器において、容器本体の上面開口部が各蓋体によって略閉塞された際に、各蓋体の先端部に形成された切欠部、又は、各蓋体の先端部によって形成される空隙から鉢植え植物が露呈されてなることを特徴とする鉢植え植物包装容器。
【請求項２】
容器本体には、容器保護シートが挿脱可能に内装されてなることを特徴とする請求項１に記載の鉢植え植物包装容器。
【請求項３】
容器本体の各蓋体を、容器本体の上面開口部を略閉塞する方向に折り曲げた状態に保持するための保持手段が設けられてなることを特徴とする請求項１又は２に記載の鉢植え植物包装容器。
【請求項４】
容器本体には、珊瑚礁石灰岩に穿設された複数の貫通穴に移植された鉢植え植物が収容されてなることを特徴とする請求項１乃至３のいずれか１項に記載の鉢植え植物包装容器。
【請求項５】
上面開口部が平面視正方形状の浅底の直方体形状の容器本体と、該容器本体の上面開口部に折曲可能に設けられ、且つ、容器本体の高さと略同一の高さを有する台形状の四枚の蓋体と、容器本体に挿脱可能に内装された容器本体と略同一形状の容器保護シートと、各蓋体の先端部にそれぞれ形成された係止溝、及び、該各係止溝に係止する輪ゴムを有する保持手段とを備えことを特徴とする鉢植え植物包装容器。
【考案の詳細な説明】
【０００１】
【考案の属する技術分野】
本考案は、鉢植え植物を運搬するための鉢植え植物包装容器の改良に関する。
【０００２】
【従来の技術】
従来のこの種の鉢植え植物包装容器は、例えば、特開２００１−１９９４９３号に示すように、上面開口部を有する外箱と、該外箱の上面開口部に折曲可能に設けられた複数の蓋体と、外箱に挿脱可能に内装された内箱とから構成されている。なお、内箱には、鉢植え植物の挿入穴が穿設されており、内箱の側壁によって、鉢の周囲が支持されることになる。
【０００３】
そして、運搬する際には、鉢植え植物の鉢を内箱の挿入穴に挿入した後、鉢植え植物の外側を覆うべく、アーチ型の骨枠を形成した支柱を内箱に取り付ける。つぎに、鉢植え植物の上方を外箱の蓋体によって被覆し、蓋体に一体に形成された取手によって、外箱に収容された鉢植え植物を運搬する。
【０００４】
一方、陳列する場合には、外箱の蓋体を外側に折り曲げて開放し、内箱に支持された鉢植え植物を露呈させる。
【０００５】
【考案が解決しようとする課題】
しかしながら、従来の前記鉢植え植物包装容器において、運搬する場合、内箱だけで、鉢の底部を支持しているため、不安定になる。このため、鉢植え植物を安定支持するために、外箱とアーチ型の支柱とが必要になり、その分コスト高になるという問題がある。
【０００６】
しかも、鉢植え植物が育成した場合には、支柱を取り外す必要があり、その作業が煩雑である一方、鉢植え植物を観賞する際、及び、鉢植え植物に潅水する際にも、支柱が邪魔になる場合があるという問題がある。
【０００７】
さらに、鉢植え植物を陳列する場合、外箱の蓋体を外側に折り曲げるため、折り曲げた蓋体が邪魔になる場合があるという問題がある。
【０００８】
加えて、潅水の際、内箱が濡れてしまい、鉢植え植物の包装容器としての寿命が短くなるという問題がある。
【０００９】
そこで、本考案は上記問題点に鑑み、鉢植え植物を収容する箱体（容器）のみで、運搬及び陳列が可能になると共に、長寿命化を図れる鉢植え植物包装容器を提供することを目的とする。
【００１０】
【課題を解決するための手段】
上記課題を解決するために、本考案の鉢植え植物包装容器は、請求項１に示す如く、鉢植え植物の鉢と略同一の容積を有すると共に、上面開口部に折曲可能に設けられた複数の蓋体を有する容器本体を備えた鉢植え植物包装容器において、容器本体の上面開口部を各蓋体によって略閉塞した際に、各蓋体の先端部に形成された切欠部、又は、各蓋体の先端部によって形成される空隙から鉢植え植物を露呈するようにしたものである。
【００１１】
したがって、蓋体によって、容器本体の上面開口部を閉塞すると共に、各蓋体を閉塞した状態に保持した場合、鉢植え植物の鉢が各蓋体によって押さえられ、運搬時の揺動が防止される。さらに、蓋体の先端部に形成された切欠部、又は、各蓋体の先端部によって形成される空隙から鉢植え植物を露呈するようにしたため、鉢植え植物を陳列する際、蓋体を開放するだけで鉢植え植物を観賞できるようになる。
【００１２】
また、請求項２に示す如く、容器保護シートを容器本体に挿脱可能に内装するのがよい。
【００１３】
そうすれば、運搬時及び陳列時において、鉢から土がこぼれても容器本体を直接汚すことがない。また、潅水時において、容器本体を濡らすことがなく、容器本体の長寿命化が図れる。
【００１４】
さらに、請求項３に示す如く、保持手段によって、容器本体の各蓋体を、容器本体の上面開口部を略閉塞する方向に折り曲げた状態に保持するようにしてもよい。
【００１５】
例えば、粘着テープや紐を使用すれば、容器本体の各蓋体によって形成された錐体を保持できると共に、錐体の解体も容易に可能になる。
【００１６】
加えて、請求項４に示す如く、珊瑚礁石灰岩に穿設された複数の貫通穴に移植された鉢植え植物を収容するのに適している。
【００１７】
この場合、容器本体の各蓋体が珊瑚礁石灰岩に当接することになり、各蓋体によって珊瑚礁石灰岩を保護できると共に、手の指などを珊瑚礁石灰岩によって損傷することもない。
【００１８】
また、本考案の鉢植え植物包装容器は、請求項５に示す如く、上面開口部が平面視正方形状の浅底の直方体形状の容器本体と、該容器本体の上面開口部に折曲可能に設けられ、且つ、容器本体の高さと略同一の高さを有する台形状の四枚の蓋体と、容器本体に挿脱可能に内装された容器本体と略同一形状の容器保護シートと、各蓋体の先端部にそれぞれ形成された係止溝、及び、該各係止溝に係止する輪ゴムを有する保持手段とを備えたものである。
【００１９】
よって、容器本体の各蓋体を、容器本体の上面開口部を閉塞するように折り曲げれば、各蓋体を側面とする錐体が形成されることになり、鉢植え植物を外側から覆うことができ、鉢植え植物を安定支持できる。さらに、各蓋体の高さが容器本体の高さと略同一であるため、各蓋体の先端部によって形成される空隙から鉢植え植物を露出させることができると共に、各蓋体を容器本体の側板の内面に当接できて鉢受けとしての使用も可能になる。
【００２０】
【考案の実施の形態】
本考案の一実施形態につき、図１〜図４を参照して説明する。
本考案の鉢植え植物包装容器は、上面開口部６を有する容器本体１と、該容器本体１の上面開口部６の周縁部に設けられた複数の蓋体７，…と、容器本体１に内装された容器保護シート８と、各蓋体７，…の先端部にそれぞれ形成された係止溝９，…、及び、該各係止溝９，…に係止する輪ゴム１０を有する保持手段とから構成されている。鉢植え植物１２としては、珊瑚礁石灰岩１４に穿設された複数の貫通穴に移植されたものが収容される。
【００２１】
容器本体１は、浅底の直方体形状を呈している。そして、容器本体１の上面開口部６は、平面視正方形状で、鉢植え植物１２が挿脱可能な開口面積を有し、容器本体１の高さは、鉢１３の高さよりも若干高くなっている。
【００２２】
さらに、容器本体１は、図４に示すように、容器本体１の側面を構成する折曲可能な４個の平面視矩形状の側板２，…と、該各側板２，…の上端部から延設された折曲可能な台形状の蓋体７，…と、該各側板２，…の下端部から延設された折曲可能な台形状の第一底板３，…と、該各側板２，…の下端部から延設された折曲可能な多角形状の第二底板４，…と、右端の側板２の側端部から延設された連結部５とを具備している。なお、第二底板４，…の下端部及び側端部には、容器本体１を組み立てるための複数のＶ字形状の逃げ部４ａ，…、４ｂ，…が形成されている。また、図中の斜線はのりしろ、及び、該のりしろの接着部位を示し、破線は折りしろを示している。
【００２３】
加えて、容器本体１の各側板２，…、各蓋体７，…には、風景写真、鉢植え植物の特徴、鉢植え植物１２の使用方法、販売店の住所や電話番号などの情報が印刷されている。
【００２４】
蓋体７，…は、略台形状を呈し、容器本体１の上面開口部６に折曲可能に設けられている。さらに、蓋体７，…は、容器本体１の高さと略同一の高さを有しており、各蓋体７，…を傾斜させて折り曲げた状態では、錐体（台錐）が形成されると共に、蓋体７，…の先端部によって平面視正方形状の空隙１１が形成される。加えて、該各蓋体７，…の先端部の中央には、輪ゴム１０が引掛けられるＶ字形状の係止溝９，…が形成されている。
【００２５】
容器保護シート８は、アルミ箔が使用され、形状としては、容器本体１と略同一形状になるように成形されている。さらに、成形された容器保護シート８の側壁及び底壁が、容器本体１の各側面及び底面に当接するように内装される。加えて、容器保護シート８は、容器本体１の上面開口部６から挿脱可能で、潅水による水受けの役目と、水や汚れからの容器本体１の保護の役目とを担っている。
【００２６】
つぎに鉢植え植物包装容器の使用態様について説明する。まず、運搬する場合、図１示すように、容器本体１の各蓋体７，…を鉢植え植物１２の珊瑚礁石灰岩１４に当接した状態で、輪ゴム１０を容器本体１の各蓋体７，…の係止溝９，…に引掛けて、鉢植え植物１２の周囲を囲繞して、鉢植え植物１２を支持した状態にする。そして、鉢植え植物包装容器を所定数量、例えば、６個単位で、箱体に収納して運搬する（図示せず）。
【００２７】
つぎに、棚などに陳列する場合、箱体（図示せず）から鉢植え植物１２を取りして、図２に示すように、容器本体の各蓋体７，…の係止溝９，…から輪ゴム１０を取り外し、容器本体１の各蓋体７，…を少し開いた状態にして、鉢植え植物１２の略全体が外観視できるようにする。
【００２８】
そして、鉢受けとして使用する場合、図３の実線矢印に示すように、鉢植え植物１２を容器本体１の上面開口部６から取り出し、続いて、容器保護シート８も同様にして取り出す。その後、図３の鎖線矢印に示すように、容器本体１の各蓋体７，…を、容器本体１の側板２，…の内面に当接するように内側に折り曲げて、つぎに、容器保護シート８を内装すると共に、鉢植え植物１２を挿入する。
【００２９】
さらに、鉢植え植物１２に潅水した際にも、水が容器本体１の底部４，５及び各蓋体７，…に透水することもなく、容器本体１を保護できる。さらに、容器保護シート８の底部に溜まった水は、鉢植え植物１２が吸水することになるため、容器保護シート８の底部４，５の水が長期間溜まることはない。加えて、容器保護シート８によって、鉢植え植物１２の土などからの汚れに対しても保護できて、容器本体１の長寿命化を図れる。
【００３０】
なお、前記実施形態の場合、容器本体１の形状を、直方体形状としが、円柱形、楕円柱形、多角柱形、円錐形、角錐形のいずれであってもよい。要するに、容器本体１としては、鉢１３の形状に応じて適宜変更可能であり、鉢１３を収容できる容積を有するものであればよい。
【００３１】
また、前記実施形態の場合、容器本体１の蓋体７，…を四枚としたが、二枚であってもよい。そして、形状としては、台形に限定されたものではなく、平面視矩形状であってもよい。さらに、蓋体７，…によって錐体を形成するようにしたが、容器本体１の上面開口部６を閉塞するようにしてもよい。要するに、蓋体７，…は、鉢植え植物１２の鉢１３を押さえつけて鉢植え植物１２を安定支持できる大きさで、且つ、鉢植え植物１２を露呈できる形状であればよい。好ましくは、容器本体１内に折り込むことができればよい。
【００３２】
さらに、錐体を形成する各蓋体７，…の先端部によって空隙１１を形成したが、各蓋体７，…の先端部に、例えば、半円形状の切欠部を形成してもよい。要するに、鉢植え植物１２を露呈できる形状であればよい。
【００３３】
加えて、前記実施形態の場合、珊瑚礁石灰岩１４を使用した鉢植え植物１２に適用したが、鉢１３の土に直接植えられているものであってもよい。
【００３４】
また、前記実施形態の場合、容器保護シート８としてアルミ箔を使用したが、成形が容易で、耐水性を有し、且つ、容器本体１を汚れから保護できる合成樹脂製のものであってもよい。
【００３５】
さらに、鉢受けとして使用する際、容器保護シート８を容器本体１に貼着した状態で容器本体１の各蓋体７，…を内側に折り曲げて陳列することも可能である。但し、この場合、容器保護シート８の外側に容器本体１の蓋体７，…が位置するため、潅水の際に、容器本体１の蓋体７，…が濡れてしまう場合がある。よって、鉢受けとして使用する際には、鉢植え植物１２、及び、容器保護シート８の両方を取り出して、容器本体１の蓋体７，…を折り曲げ、容器本体１の蓋体７，…を容器保護シート８の内側に位置させた方がよい。
【００３６】
加えて、容器本体１の各蓋体７，…によって鉢植え植物１２を支持する際に輪ゴム１０を使用したが、紐、粘着テープ、各蓋体７，…に設けられた凹凸嵌合による係止片のいずれであってもよい。要するに、各蓋体７，…によって容器本体１の上面開口部６を略閉塞した状態に保持できるものであれば何でもよい。但し、容器本体１の各蓋体７，…に損傷を及ぼすことなく、しかも、運搬、陳列、鉢受けのいずれに対しても容易に対応できるものを選択することが好ましい。
【００３７】
また、前記実施形態の場合、容器本体１の材質を特に限定していないが、ダンボール、耐水性を有する紙材や合成樹脂材であってもよい。要するに、軽量で、折り曲げやすく、汚れに強くて、耐水性を有するものであればよい。
【００３８】
【考案の効果】
以上説明したように、本考案の鉢植え植物包装容器は、鉢植え植物の鉢と略同一の容積を有する容器本体の各蓋体によって、鉢植え植物の鉢の運搬時の揺動を防止できる。さらに、蓋体の先端部に形成された切欠部、又は、各蓋体の先端部によって形成される空隙から鉢植え植物を露呈するようにしたため、鉢植え植物を陳列する際、蓋体を開放するだけで鉢植え植物を観賞できるようになる。
【００３９】
また、容器保護シートを容器本体に挿脱可能に内装すれば、容器本体を水や土から有効に保護できる。
【００４０】
さらに、各蓋体による容器本体の上面開口部の閉塞状態を、輪ゴム、粘着テープ、紐などの保持手段によって保持すれば、より安定した運搬が可能になる。また、いずれの保持部材も容器本体からの着脱が簡単なため、鉢植え植物を簡単に陳列できる効果がある。
【００４１】
また、上面開口部が平面視正方形状の浅底の直方体形状の容器本体と、該容器本体の上面開口部に折曲可能に設けられ、且つ、容器本体の高さと略同一の高さを有する台形状の四枚の蓋体と、容器本体に挿脱可能に内装された容器本体と略同一形状の容器保護シートと、各蓋体の先端部にそれぞれ形成された係止溝、及び、該各係止溝に係止する輪ゴムを有する保持手段とを備えたので、容器本体の上面開口部に折曲可能に設けられた蓋体によって、各蓋体を側面とする錐体を形成することができ、鉢植え植物の安定した運搬が可能になる。さらに、各蓋体によって形成された錐体を解体すれば、鉢植え植物を容易に外観視できる。
【図面の簡単な説明】
【図１】本考案の鉢植え植物包装容器を運搬する状態を示した斜視図である。
【図２】本考案の鉢植え植物包装容器を陳列する状態を示した斜視図である。
【図３】本考案の鉢植え植物包装容器を鉢受けとする場合の使用説明図である。
【図４】本考案の鉢植え植物包装容器の展開図である。
【符号の説明】
１　容器本体
２　側板
３　第一底板
４　第二底板
４ａ、４ｂ　逃げ部
５　連結部
６　上面開口部
７　蓋体
８　容器保護シート
９　係止溝
１０　輪ゴム
１１　空隙
１２　鉢植え植物
１３　鉢
１４　珊瑚礁石灰岩
【図１】
0003099105.tif 000003
【図２】
0003099105.tif 000004
【図３】
0003099105.tif 000005
【図４】
0003099105.tif 000006